(57)【要約】  飲料容器や食品容器を断熱するための折畳み可能な空気断熱スリーブが提供される。より詳しくは、折畳み可能な空気断熱スリーブは、カップを囲む空気のポケットを残すようにカップを固定する。これにより、温度調節が改善されるとともに十分な断熱が行われ、カップの内容物の温度により生じる過熱または結露にかかわらず、ユーザがカップをしっかり握って取り扱うときの助けになる。大部分の使い捨てカップの底は縁よりそれぞれ狭いので、折畳み可能な空気断熱スリーブにより固定されるカップの底部に向かって、より多くの空気があり、そのためにより高い断熱が得られる。広い底は、このようなカップに安定性も与える。スリーブを補強して、ユーザが保持したときにつぶれるのを防止するため、スリーブの内側の中央には支持リングが設けられてもよい。カップの中央部分を断熱するように、スリーブは短くてもよい。広告または他の目的で、折畳み可能な空気断熱スリーブの外面に、印刷物が貼られてもよい。折畳み可能な空気断熱スリーブのいくつかの実施の形態は、断熱をさらに向上させるための蓋を含む。
2008512319.tif 000002
【特許請求の範囲】
【請求項１】
カップと、
断熱蓋と、
対向する面に一対の縦折り目を備えた外殻を有し、スリーブの内壁の中央に配置された少なくとも一つの支持リングを備え、前記縦折り目と同じ面上にリング折り目を有する、取外し可能かつ折畳み可能な空気断熱スリーブと、
を備えることを特徴とする空気断熱スリーブおよび蓋システム。
【請求項２】
前記折畳み可能な空気断熱スリーブが、
実質的に管状の外殻と、
縁と、
（ｉ）内底と、（ｉｉ）少なくとも一つの底接続片により前記内底に接続された外底と、のうち少なくとも一方と、
を備えることを特徴とする請求項１に記載の折畳み可能な空気断熱システム。
【請求項３】
前記蓋が半球状の蓋であることを特徴とする請求項１に記載の断熱蓋。
【請求項４】
空気断熱室を備え、前記空気断熱室が前記縁面の上にあることを特徴とする請求項１に記載の断熱蓋。
【請求項５】
空気断熱室を備え、前記空気断熱室が前記縁面の下にあることを特徴とする請求項１に記載の断熱蓋。
【請求項６】
前記空気断熱室の内側に構造部材を備えることを特徴とする請求項１に記載の断熱蓋。
【請求項７】
前記折畳み可能な空気断熱スリーブが実質的に円筒状であることを特徴とする請求項１に記載の折畳み可能な空気断熱システム。
【請求項８】
前記折畳み可能な空気断熱スリーブがテーパ状であることを特徴とする請求項１に記載の折畳み可能な空気断熱スリーブ。
【請求項９】
前記支持リングが複数の支持リングであることを特徴とする請求項１に記載の折畳み可能な空気断熱スリーブ。
【請求項１０】
前記スリーブが実質的に前記カップの全部を被覆することを特徴とする請求項１に記載の折畳み可能な空気断熱スリーブ。
【請求項１１】
前記スリーブが前記カップの中央部分を被覆することを特徴とする請求項１に記載の折畳み可能な空気断熱スリーブ。
【請求項１２】
前記カップが前記スリーブの内側に挿入され、前記蓋が前記カップを被覆し、前記カップの周囲に断熱空気室を形成することを特徴とする請求項１に記載の空気断熱スリーブおよび蓋システム。
【請求項１３】
カップと、
対向する面に一対の縦折り目を備えた外殻を有し、スリーブの内壁の中央に配置された少なくとも一つの支持リングを備え、前記縦折り目と同じ面上にリング折り目を有する、取外し可能かつ折畳み可能な空気断熱スリーブと、
前記折畳み断熱スリーブに連結され、前記カップの底を新しいホルダに適合させるのに適したアダプタと、
を備えることを特徴とする空気断熱スリーブおよびアダプタシステム。
【請求項１４】
前記アダプタは前記カップの底を広くするものであることを特徴とする請求項１３に記載のアダプタ。
【請求項１５】
前記アダプタは前記カップの底を狭くするものであることを特徴とする請求項１３に記載のアダプタ。
【請求項１６】
挿入されるカップと、
前記カップを収容し、対向する面に一対の縦折り目を備えた外殻を有し、スリーブの内壁の中央に少なくとも一つの支持リングが配置され、前記スリーブが前記カップの中央部分の周囲に空気室を形成する、取外し可能かつ折畳み可能な空気断熱スリーブと、
を備えることを特徴とする折畳み可能な空気断熱システム。
【請求項１７】
構造梁を備えることを特徴とする請求項１６に記載の折畳み可能な空気断熱システム。
【請求項１８】
断熱蓋を備えることを特徴とする請求項１６に記載の折畳み可能な空気断熱システム。
【請求項１９】
前記スリーブは、前記スリーブの内側の中央に配置され前記断熱空気室を分割する支持リングを備えることを特徴とする請求項１６に記載の折畳み可能な空気断熱スリーブ。
【請求項２０】
カップの周囲に断熱空気室を形成する方法であって、
カップを用意し、
対向する面に一対の縦折り目を備えた外殻を有し、スリーブの内壁の中央に少なくとも一つの支持リングが配置され、前記縦折り目と同じ面上にリング折り目を有する、取外し可能かつ折畳み可能な断熱スリーブを用意し、
断熱蓋を用意し、
前記カップを前記スリーブに挿入し、
前記カップおよびスリーブを前記蓋で被覆することを特徴とする方法。
【発明の詳細な説明】
【技術分野】
【０００１】
本発明は、飲料容器のための断熱装置に関し、より詳しくは、空気を断熱材として使用することにより飲料および食品を断熱することに関する。
【背景技術】
【０００２】
使い捨てカップは、温飲料と冷飲料の両方を入れるためにファーストフード店やドライブインで日常的に使用される。このようなカップは壁が比較的薄いため、断熱が充分でない。その結果、温飲料の入ったカップはたいてい熱すぎて快適に持つことができない。また、冷飲料の入ったカップの外面には水分がつくことが多く、それによってカップの保持が困難になり、持っている人の手やテーブルを濡らしてしまう。そのうえ、冷飲料は温くなりやすく、温飲料はすぐに冷めてしまう。
【０００３】
より良い飲料断熱材が必要とされるのに応じて、様々なタイプの使い捨ての厚紙製および紙製のスリーブが使用されている。スリーブの寸法は、スリーブが飲料カップの外側へスライドして取り付けられ、摩擦により所定箇所に保持されるような寸法である。一般的な飲料カップの大径側（直径が大きいほう）の端部は、カップが保持されている間に、スリーブがカップから滑り落ちることを防止する。しかし、このような装置はたいてい薄いものであるため断熱材としては適していない。さらに、カップに密接しているため、断熱材の外側へさらに熱が伝達してしまう。飲料カップの底部には流体がより長時間入っているため、底部には更なる断熱が必要とされる。また、このような装置は一般的にカップの外側のあらゆる印刷物を被覆してしまい、広告の機会を失わせる結果となる。透明な断熱材が作られてはいるが、一般的にそれらは伝導性材料を原料としており、その伝導性材料とカップとが密接しているので、断熱材としての有効性が失われてしまう。より効果的な断熱材のいくつかはかさばり過ぎて、狭いコンビニエンスストアにおいて収納スペースをとり過ぎてしまう。このように断熱材がかさばり過ぎると、使い捨てカップが大きくなり過ぎてしまい、大部分のカップホルダに適合しなくなる。大部分の使い捨てカップの別の問題は、一般的なカップは底が狭いので不安定であるということである。このように、飲料業界では、より良い断熱を有し全体的な改良が加えられたカップの必要性が非常に高くなっている。
【０００４】
温飲料をつかんだり、カップの外側に水滴が付く冷飲料をつかんだりするのが困難であるという問題を解決するため、使い捨てカップの中には取手を含むものがある。残念ながら、取手には、一般的に紙または他のシート状材料で作られているので、ユーザが取手でカップを保持する際に、カップを直立位置で保持するのに充分な強度に欠けるという問題がある。言い換えると、カップの重量によって取手が撓んだり破れたりして、カップが傾いて飲料がこぼれてしまうことがあるのである。
【発明の開示】
【発明が解決しようとする課題】
【０００５】
本発明は、飲料容器のための断熱装置に関し、より詳しくは、空気を断熱材として使用することにより飲料および食品を断熱することに関する。
【課題を解決するための手段】
【０００６】
本発明の好適な実施の形態は、飲料カップをスライド可能に収容および固定するように構成された折畳み可能な空気断熱スリーブを含む。折畳み可能な空気断熱スリーブは、空気のポケットがカップを囲むことができるようにカップを固定する。この空気のポケットが飲料を断熱する。ユーザは折畳み可能な空気断熱スリーブの外面を握ることによりカップを保持できるため、高温のカップ表面や濡れたカップ表面との接触が避けられる。大部分の使い捨てカップの底（ベース）はそれぞれの縁（リム）よりも狭い。そのため、特に折畳み可能な空気断熱スリーブによって固定されたカップの底部に向かって、より多量の空気があり、より高い断熱が可能である。底が広いとカップの安定性が高くなる。さらに、折畳み可能な空気断熱スリーブが作られる材料は、広告または他の印刷物を外側表面に付着することが可能である。折畳み可能な空気断熱スリーブは、プラスチックまたは紙を含む多くの材料で作ることが可能である。また、折畳み可能な空気断熱スリーブは、実質的に平らな状態（ポジション）に折畳み可能である。
【０００７】
本実施の形態では、折畳み可能な空気断熱スリーブの内底（内側ベース）にカップの底が載る。内底は外底（外側ベース）に接続され、内底が外面と接触してスリーブ−カップ構造の全体を支持する。内底と外底との間の空間は空気で満たされており、カップの内容物をさらに断熱するように作用する。
【０００８】
別の実施の形態では、折畳み可能な空気断熱スリーブの外底は、外面と接触してスリーブ−カップ構造の全体を支持する。
【０００９】
また別の実施の形態では、折畳み可能な空気断熱スリーブの内底は、カップが広すぎてそれ以上の通過を阻止されるまでカップが通る開口部を有する。あるいは、折畳み可能な空気断熱スリーブの内底は、カップが折畳み可能な空気断熱スリーブの外底に当たって外底に支持されるまでカップが通る開口部を有する。
【００１０】
さらに別の実施の形態では、折畳み可能な空気断熱スリーブの外底は、支持するカップより広いが、大部分のカップホルダへ適合するように充分に狭い。
【００１１】
追加の実施の形態では、折畳み可能な空気断熱スリーブは、カップの上縁に取り付けられる蓋を含む。蓋は、実質的に中空であり、空気室を備えており、カップの内容物をさらに断熱する。折畳み可能な空気断熱スリーブが食品に使用される際には、蓋は開口部を持たない。冷飲料に使用される際には、蓋はストローが通される開口部を有する。最後に、温飲料に使用される際には、蓋は丸みのある飲み口とキャップとを有する。飲み口とキャップとは分離されているか、または、繋がれている。
【００１２】
本発明の方法とプロセスは、飲料容器に関連して特に有益であることが証明されているが、当業者であれば、温度の影響を受けやすい様々な種類の物質（例えばスープその他）を断熱する多様な用途に、この方法とプロセスを使用できることが認識できるであろう。
【００１３】
本発明のこれらの特徴と利点および他の特徴と利点は、以下の説明および添付の特許請求の範囲に明記され、より明瞭になるであろう。これらの特徴および利点は、添付の特許請求の範囲によって特に示された手段および組合せにより、実現され達成される。さらに、本発明の特徴および利点は、発明を実施することにより知ることができるか、または、以下に明記する説明から明らかになるであろう。
【発明を実施するための最良の形態】
【００１４】
本発明の上記および他の特徴および利点を理解するために、添付の図面に示された特定の実施の形態を参照することにより、発明のより詳しい説明を行う。図面は単に本発明の典型的な実施の形態を示すものであって、そのため発明の範囲を限定するものと考えられてはならない。そのことを理解したうえで、添付の図面を用いることにより、本発明をさらに明確かつ詳細に記載し説明する。
【００１５】
本発明は、飲料容器のための断熱装置に関し、より詳しくは、空気を断熱材として使用することにより飲料および食品を断熱することに関する。
【００１６】
本開示および特許請求の範囲において、「カップ」の語は、家庭で消費可能な液体または固体を収容する容器、あるいは、食品または液体で満たされた皿を断熱するための容器を指す。カップの例には、使い捨てカップ、バケツ、食品収納容器、食べ残し食品容器、キャセロール皿容器、小型スープボウル、断熱の必要があるものを飲食するための他の同様の形状の容器が含まれる。
【００１７】
本発明の実施の形態の一般的な説明として、カップの内容物の周囲に温度勾配を設けるのに使用される空気断熱バリアが挙げられる。バリアは、カップの外側に設けられる断熱スリーブであってもよく、カップの上部に設けられる蓋であってもよい。バリアの材料には、紙、プラスチック、およびこの二つの組合せが含まれてもよい。教示される発明は、断熱バリアを作るのに必要な材料の量を最小にする。それだけでなく、カップの断熱の方法、断熱蓋をオプションで備える断熱スリーブの製作、断熱スリーブをオプションで備える断熱蓋の製作、についての最大限の選択をユーザに与える。そのうえ、本発明のいくつかの実施の形態では、コンパクトな形状に折り畳まれ、選択により機能的な形状に広げることが可能なバリア形状を形成することが教示される。最後に、本発明では、ユーザの把握力を向上する高摩擦係数の材料を適用して表面を変更することが教示される。
【００１８】
図１Ａ〜図５Ｂは、短い断熱スリーブ５がカップ１０を選択的に収容することができるスリーブの二つの好適な実施の形態を示す図である。図１Ａ〜図５Ｂを参照すると、カップ１０とスリーブ５が示されており、スリーブ５は支持リング１５を有し、スリーブ５の外面からカップの温度まで温度勾配を有する断熱空気室２０が形成されている。支持リング１５は、スリーブ５に覆われたカップ１０の重量を支え、カップ１０とスリーブ５との間の接点となる。そのうえ、中間に配置された支持リング１５を支持すると、スリーブをつかむユーザにより大きな支持力を与え、保持された際にスリーブが潰れるのを防止するとともに、スリーブの外壁２５がカップ１０と接触するのを防止する。短いスリーブの外側面エリア２５は、ユーザの手をカップ１０の表面から保護するのに充分な大きさである。スリーブの長さが短いことの利点は、製造コストを削減することに加えて、複数のスリーブに必要な収納スペースの量を削減することである。
【００１９】
図１Ｂと図４Ａに図示されているように、スリーブの輪郭（プロファイル）を最小にするようにスリーブが折り畳まれてもよい。そのうえ、所望の軸に沿ってスリーブを折り畳むことができるようにスリーブに刻み目が付けられてもよい。
【００２０】
図２Ａは、カップが挿入されていないスリーブを示す。支持リング１５は、スリーブの中央にカップが挿入されていないときでも、スリーブを開口形状に保つのに充分な剛性を持つ。製造タブまたはタブ３０は、リングの外端に設けられ、リング１５を外側面２５に接続する。
【００２１】
図２Ｂの部分的な透視図は、カップ１０とスリーブ５との間に形成される断熱空気室２０を示す。気体分子が運動エネルギーを伝えにくいため、空気は優れた断熱材として知られている。
【００２２】
図３Ｂは、支持リング１５よりも延出する表面エリア２５（延出部３５）を備えるスリーブ５を示す。本実施の形態では、ユーザの手の充分な領域をカップ１０の温度から保護しながら、リング１５を近接させることができる。
【００２３】
図６Ａ〜図２０Ｂを参照すると、カップ１０の重量を支える複数の構造梁（構造ビーム）４０を備えた断熱スリーブ５のいくつかの実施の形態が示されている。構造梁は、上述した他の実施の形態よりも接触が多くなるが、梁は優れた支持力を備え、ユーザは様々な重量のカップを覆うことができる。カップは、大きくても小さくてもよく、食品を収容しても飲料を収容してもよい。適切な寸法の断熱スリーブで、カップ１０の重量を支えることもできる。
【００２４】
図６Ａ〜図７Ａは、短い断熱スリーブを示す。短い断熱スリーブは、最小限の材料を使用し、最小限の保護および断熱を与える。それに対して、図７Ｂは、長い断熱スリーブを示す。長い断熱スリーブは、ユーザの手をより保護するだけでなく、カップの表面積のより多くを被覆することによりカップの内容物により大きな断熱を与える。
【００２５】
図８Ａ、図１０Ｂ、図１３Ｂ、図１５Ｂ、図１８Ｂ、図２０Ｂは、スリーブの収納面積を最少にするように折り畳まれた断熱スリーブ５を示す。
【００２６】
図９Ｂと図１０Ａは、スリーブ５の構造梁に支持されたカップ１０の透視図であり、スリーブ２５の外側表面とカップ１０の表面との間に形成される断熱空気室２０が詳細に示されている。さらに、構造部材４０を超えたスリーブの延出部３５が図示されており、延出部３５は、製造者が構造部材４０を作るのに使用する材料の量を最少にできるとともに、ユーザの手をカップから保護するのに必要な表面積２５を増加させる。図示されているように、スリーブはカップの一部分のみを被覆してもよく、実質的にカップの全部を被覆してもよい。
【００２７】
図１１Ａは、構造部材として丸い半球を示す。丸い半球を用いて断熱空気室を形成すると、さらにスリーブを作るのに必要な材料の量を最少にするだけでなく、カップとスリーブとの係合を簡素にする。丸い半球を使用すると、整列（アライン）する必要のあるリングや部材がないので、ユーザは、スリーブが部分的に折り畳まれた状態でも、カップをスリーブへ滑り込ませることができる。
【００２８】
図１２Ａと図１２Ｂは、構造部材４０が、スリーブ２５の表面とカップ１０の表面との間に断熱空気室２０を形成する丸い半球である実施の形態を示す。長さは、カップ表面の一部分のみを被覆するように短くてもよく、カップの実質的に全長を被覆するように長くてもよい。
【００２９】
図１３Ａ、図１４Ａ〜図１５Ｂは、スリーブの内壁４５に沿った管状サークル４０を備えた支持構造を示す。カップ１０の重量が重いときに、構造部材４０とカップ１０との間の連続的な接触により、カップ１０により大きな支持力を与える。そのうえ、構造部材４０とカップ１０との連続的な接触により、カップ１０とスリーブ５との間の空気の移動が少ない断熱空気室２０が設けられ、カップ１０が断熱される。
【００３０】
図１５Ａには、本発明の教示が示される。ここでは、スリーブの長さとともに構造支持管状リング４０の数が増えて、スリーブ５とカップ１０とをつかむときに、ユーザに支持力を与える。
【００３１】
図１６Ａ〜図１７Ｂには、長い傾斜半円構造梁４０と、短い傾斜半円構造梁４０の両方が示される。
【００３２】
図１８Ａ、図１９Ａ〜図２０Ｂは、フレーム構造梁４０を示す。フレーム構造梁４０は、長いスリーブおよび短いスリーブの両方とカップ１０との間の複数方向の摩擦を増大させる。
【００３３】
図２１Ａ、図２１Ｂは、構造部材４０として使用される断面の好適な選択例を示す。
【００３４】
図２２Ａは、断熱蓋５０の開口部の形の好適な選択例を示す。開口部は、通気、ストローの通過、カップの内容物の通過、に使用される。後述する断熱蓋５０は、カップの周囲に別の温度勾配を設け、カップの内容物の断熱を助ける。
【００３５】
図２２Ｂは、アダプタ５５の内側にカップが設けられた断熱スリーブ５の実施の形態を示す。アダプタ５５は、スリーブ５をカップホルダ（図示せず）に装着するのに適している。たいていのカップホルダは、カップがホルダにぴったり嵌まるような寸法である。もし、断熱スリーブがカップの周囲を実質的に増大させる場合には、ユーザはカップホルダを使用することができない。本実施の形態によれば、ユーザは断熱スリーブ５とカップホルダの両方を使用できる。
【００３６】
図２３Ａ、図２３Ｂは、スリーブとカップをカップホルダに適合させるのに使用されるアダプタ５５を示す。アダプタは、カップと断熱スリーブとを収容するための広い収容端部を備える。そのうえ、アダプタは、その広い端部を狭い方の端部に適応（アダプト）させて、標準的なカップホルダに適合させる。狭い方の端部をいかなるサイズのカップホルダにも適合させるようにすることが予見される。これには、カップとスリーブの組合せを広げることや、底（ベース）を広げて二つのアームレスト６０の間に適合させることが含まれる。
【００３７】
図２４Ａ〜図２４Ｂは、飲料を支持するように広げられたアダプタ５５（支持体６０）を示す。アダプタ５５は、舞台状（シアター状）の作業面（ワーク面）または載置面（レスト面）を備える。自動車のカップホルダ、定期旅客機のカップホルダ、バーのカップホルダに加えて、本技術で一般的に周知な他の場所のカップホルダも予見される。
【００３８】
図２５Ａ、図２５Ｂを参照すると、断熱スリーブ壁２５と断熱蓋５０における構造梁４０のレイアウトの好適な選択例が示される。図示されたものに加えて、本発明では、剛性を与えてスリーブと蓋を支持するための、本技術で周知の構造梁の構成（フォーメーション）が教示される。
【００３９】
図２６Ａ、図２７Ａ、図２８Ａ、図２９Ａは、カップ１０がスリーブ５に挿入された断熱スリーブ５の好適な選択例を示す。支持リング１５の数は、カップ１０の重量と寸法を支持するように最適化されている。上述したように、支持リング１５は、一組の支持リング１５の間に断熱空気室２０を形成する。または、支持リング１５は、支持リング１５と底（ベース）６５との間に断熱空気室２０を形成する。断熱空気室２０は、カップ１０を保持する人の手を保護するだけでなく、カップ１０の内容物が温くなるまたは冷めるのを防止する。断熱スリーブ５は、コスト、製造上および収納上の検討事項に応じて、カップ１０の側面の一部または実質的にすべてを被覆してもよい。タブ３０は、支持リング１５を断熱スリーブに取り付けるための支持体となる。そのうえ、各リングは、密閉された断熱空気室２０を形成する。
【００４０】
図２６Ｂ、図２７Ｂ、図２８Ｂ、図２９Ｂは、折り畳まれた際の支持リング１５の状態だけでなく、折り畳まれた絶縁スリーブ５を示す。ユーザがスリーブ５を広げてカップ１０を挿入すると、すべての支持リングが同時に開かれて、カップをスリーブへ滑り込ませることができる。本発明では、折畳み可能な断熱スリーブ５が教示され、断熱スリーブ５は、所望のカップ重量を支えるのに必要な数の支持リング１５とオプションの底６５を含むように変更可能である。このように、本発明では、支持リングの数または位置および配置が教示され、スリーブ５の性能を最適化するような配置が教示される。
【００４１】
図３０Ａ〜図３５Ｂを参照すると、断熱蓋５０を備えるカップ１０が示される。蓋５０は、上壁７０と、底壁７５と、縁留め８０を備える。縁留め８０は、カップ１０の縁８５に取外し可能でありかつ連結可能である。上壁７０と底壁７５は、断熱空気室２０の壁を形成する。底壁は、縁面（ブリム面）９０に位置しており、カップ１０に内容物を容量まで満たすことができ、かつ、断熱室２０のスペースをとっておく必要がないようにされている。蓋５０は、収納スペースを断熱空気室で満たさないことにより、カップ１０の収納容量を最大にする。しかし、本発明では、断熱空気室２０を縁面９０の下に設けることにより、蓋５０の輪郭を最少にすることも教示される。
【００４２】
図２５Ｂで上述したように、蓋５０の空気室２０に構造梁４０が設けられてもよい。構造梁４０は、全体として容器に付加的な支持力を与えるだけでなく、構造的な一体性を向上させる。カップを被覆する以外の追加の機能を蓋５０が持つ際には、付加的な支持力が必要である。このような機能は、ストロー９５が挿入される定められた開口部５３を設けることであってもよい。構造梁４０は、蓋の構造的な一体性を損なうことなく、ユーザにストロー９５を使用させないために必要な強度を付与する。
【００４３】
付加的な機能は、内容物漏斗１００を設けることであってもよい。この内容物漏斗１００を通してカップの内容物がユーザの口へ運ばれてもよい。図３３Ｂに示されるように、内容物漏斗１００は断熱空気室２０の一部であってもよく、図３４Ｂに示されるように、室２０は漏斗１００に届く前に終わっていてもよい。冷めたり溢れたりするのを防止するため、漏斗はキャップ１０５を有する。
【００４４】
図３１Ａ、３１Ｂは、蓋の別の実施の形態を示す。ここでは、構造支持体４０によって半球状（バブル状）の蓋１１０の機能が改良されている。半球状の蓋１１０の上向き凹状の形状のため、構造梁４０によって蓋の機能性が高まる。内容物は縁面９０を超えることができ、半球状の蓋１１０により断熱と被覆が行われるとともに、カップ１０の収納容量が効率的に増大する。さらに、図３１Ｂに示されるように、断熱空気室２０は、蓋の輪郭を最小にするように蓋の内側に設けられてもよく、カップの容量を最大化するように蓋の外側に設けられてもよい。半球状の蓋１１０の定められた開口部５３により、ユーザはストロー９５を挿入できる。
【００４５】
図３５に示される好適な実施の形態は、平らな蓋５０を備えるカップ１０である。この平らな蓋５０は、縁面９０より上の断熱空気室２０と、カップ縁部に連結された縁留め８０を備えている。本実施の形態は食品収納に使用することができる。例えば、鶏肉料理店で、顧客の食品を消費されるまで温かく保つ場合に、鶏肉がカップに入れられ、カップが断熱スリーブに入れられ、断熱蓋がカップの上部に置かれる。ハンバーガーまたは他の食品でも同じ状況がつくられる。そのうえ、蓋５０は別の蓋に接続されてもよく、クラムシェル設計となって、内容物の食品を温かく保つ。そのうえ、本発明によれば、ここに記載された構成のすべての組合せが教示される。
【００４６】
図３６Ａ〜図４１Ｂに図示された好適な実施の形態を参照すると、カップの断熱を高める様々な断熱スリーブ形状が示されている。スリーブの形状は実質的に円筒形であり、スリーブの壁はそれぞれ平行である。カップが底部でテーパ状であると、スリーブの上部よりも底部で断熱空気室２０が広くなる。この形状は、カップの内容物が最も長時間残っているスリーブの底部での断熱を高める。さらに、本発明では、空のカップに隣接するエリアとカップの充填部分を断熱するエリアとから流れてくる空気の量を最少にするように、支持リング１５を所定位置に配置することが教示される。そのうえ、リング１５はスリーブの構造的な支持力を強化して、ユーザが把持または保持するときにスリーブが潰れるのを防止する。ここで、断熱スリーブ５は、実質的にカップ１０の全体を断熱するように、カップ１０の全長に延びている。また、実質的に円筒形のスリーブは、カップを支持するより広い底（ベース）を備え、スリーブ内のカップが溢れたり傾いてしまうのを防止する。
【００４７】
さらに、本発明では、スリーブの底部が、カップ１０が載せられる底６５と、カップ１０が通過する支持リング１５のいずれかを備えてもよいことが教示される。スリーブ５が実質的に円筒形であるときには、リング１５は同心状のままであるが、カップ１０のサイズの変化を補ってもよい。
【００４８】
図４２Ａ〜図５２Ａを参照すると、図のようにカップ１０の壁に対して実質的に平行に延びるようなテーパ状スリーブ５が、本発明で教示される。代わりの好適な実施の形態では、断熱スリーブ５がカップ１０の異なる長さを被覆する。カップ１０の異なる長さには、カップ表面のほぼ半分、カップ表面の４分の３、カップ表面の全長が含まれる。そのうえ、前述したように、本発明では、断熱スリーブ５の上部と同一平面にある支持リング１５が教示され、また、先端のリングを越えて延出するスリーブ２５（延出部３５）を示した代わりの実施の形態が教示される。さらに、断熱スリーブ５は折畳み可能であってもよく、これにより、一度に複数のスリーブを運搬または収納する際の量が最小になる。
【００４９】
図５２Ｂ〜図５８を参照すると、飲み口１１５の好適な実施の形態が図示されている。ここでは、代わりの実施の形態として、図５３Ｂ、図５５Ｂには面取りされた端部が示されており、図５７Ｂには幅広の端部１２５が示されている。端部のサイズは、カップの内容物に応じて変更されてもよく、また、飲み口を口へ当てたときのユーザの快適さを高めるために変更されてもよい。飲み口１１５は、スリーブ５および蓋５０と組み合わせて使用されたときに付加的な熱バリアを備え、最上部の支持リング１５より上に付加的な断熱空気室を形成してもよい。飲み口は、カップの縁に設けられたときには冷却面を備えてもよく、これにより、カップの熱い内容物がユーザにより消費される前に低温面と接触することができる。
【００５０】
こうして開示したように、本発明の実施の形態は、食品容器または飲料容器の断熱装置の分野を包含する。特に、本発明は、空気を断熱材として用いることにより使い捨てカップを断熱することに関する。本発明は、その趣旨および本質的特徴を逸脱しない限り、他の特定の形態で具体化されてもよい。ここで記載された実施の形態は、あらゆる点において例示的なものであり、限定的なものではないと考えられるべきである。そのため、本発明の範囲は、上記の説明ではなく添付の特許請求の範囲によって示される。特許請求の範囲の意味および均等の範囲内のすべての変更は、本発明の範囲に包含されるものとする。
【図面の簡単な説明】
【００５１】
【図１Ａ】カップが挿入された短いスリーブ断熱材を示す図である。
【図１Ｂ】折畳み状態の短いスリーブ断熱材を示す図である。
【図２Ａ】開口した状態の短いスリーブ断熱材を示す図である。
【図２Ｂ】カップが挿入された、開口した状態の短いスリーブ断熱材の透視図である。
【図３Ａ】開口した状態の短いスリーブ断熱材の透視図である。
【図３Ｂ】カップが挿入された、延出し開口した状態の短いスリーブ断熱材の図である。
【図４Ａ】延出した状態の折畳み状態の短い断熱スリーブの図を示す図である。
【図４Ｂ】延出し開口した状態の短い断熱スリーブの図を示す図である。
【図５Ａ】カップが挿入された、延出し開口した状態の短い断熱スリーブの透視図である。
【図５Ｂ】延出した状態の短い断熱スリーブの透視図を示す図である。
【図６Ａ】短いスリーブ断熱材の好適な実施の形態を示す図である。
【図６Ｂ】短いスリーブ断熱材の好適な実施の形態を示す図である。
【図７Ａ】短いスリーブ断熱材の好適な実施の形態を示す図である。
【図７Ｂ】短いスリーブ断熱材の好適な実施の形態を示す図である。
【図８Ａ】短いスリーブ断熱材の好適な実施の形態を示す図である。
【図８Ｂ】短いスリーブ断熱材の好適な実施の形態を示す図である。
【図９Ａ】短いスリーブ断熱材の好適な実施の形態を示す図である。
【図９Ｂ】短いスリーブ断熱材の好適な実施の形態を示す図である。
【図１０Ａ】短いスリーブ断熱材の好適な実施の形態を示す図である。
【図１０Ｂ】短いスリーブ断熱材の好適な実施の形態を示す図である。
【図１１Ａ】短いスリーブ断熱材の好適な実施の形態を示す図である。
【図１１Ｂ】短いスリーブ断熱材の好適な実施の形態を示す図である。
【図１２Ａ】短いスリーブ断熱材の好適な実施の形態を示す図である。
【図１２Ｂ】短いスリーブ断熱材の好適な実施の形態を示す図である。
【図１３Ａ】短いスリーブ断熱材の好適な実施の形態を示す図である。
【図１３Ｂ】短いスリーブ断熱材の好適な実施の形態を示す図である。
【図１４Ａ】短いスリーブ断熱材の好適な実施の形態を示す図である。
【図１４Ｂ】短いスリーブ断熱材の好適な実施の形態を示す図である。
【図１５Ａ】短いスリーブ断熱材の好適な実施の形態を示す図である。
【図１５Ｂ】短いスリーブ断熱材の好適な実施の形態を示す図である。
【図１６Ａ】短いスリーブ断熱材の好適な実施の形態を示す図である。
【図１６Ｂ】短いスリーブ断熱材の好適な実施の形態を示す図である。
【図１７Ａ】短いスリーブ断熱材の好適な実施の形態を示す図である。
【図１７Ｂ】短いスリーブ断熱材の好適な実施の形態を示す図である。
【図１８Ａ】短いスリーブ断熱材の好適な実施の形態を示す図である。
【図１８Ｂ】短いスリーブ断熱材の好適な実施の形態を示す図である。
【図１９Ａ】短いスリーブ断熱材の好適な実施の形態を示す図である。
【図１９Ｂ】短いスリーブ断熱材の好適な実施の形態を示す図である。
【図２０Ａ】短いスリーブ断熱材の好適な実施の形態を示す図である。
【図２０Ｂ】短いスリーブ断熱材の好適な実施の形態を示す図である。
【図２１Ａ】スリーブ断熱材の壁の構造梁の好適な選択例を示す図である。
【図２１Ｂ】断熱スリーブ壁の構造梁の好適な選択例を示す図である。
【図２２Ａ】断熱蓋の開口部の好適な選択例を示す図である。
【図２２Ｂ】適合したホルダ内の断熱スリーブの好適な実施の形態を示す図である。
【図２３Ａ】適合したホルダの好適な実施の形態を示す図である。
【図２３Ｂ】適合したホルダの好適な実施の形態の透視図である。
【図２４Ａ】適合したホルダを示す図である。
【図２４Ｂ】適合したホルダを示す図である。
【図２５Ａ】構造梁のレイアウトの好適な選択例を示す図である。
【図２５Ｂ】構造梁のレイアウトの好適な選択例を示す図である。
【図２６Ａ】支持体を備えた断熱スリーブを示す図である。
【図２６Ｂ】支持体を備えた断熱スリーブを示す図である。
【図２７Ａ】支持体を備えた断熱スリーブを示す図である。
【図２７Ｂ】支持体を備えた断熱スリーブを示す図である。
【図２８Ａ】支持体を備えた断熱スリーブを示す図である。
【図２８Ｂ】支持体を備えた断熱スリーブを示す図である。
【図２９Ａ】支持体を備えた断熱スリーブを示す図である。
【図２９Ｂ】支持体を備えた断熱スリーブを示す図である。
【図３０Ａ】平らな断熱蓋の図である。
【図３０Ｂ】平らな断熱蓋の断面図である。
【図３１Ａ】断熱された半球状の蓋を示す図である。
【図３１Ｂ】半球状の蓋の断面図である。
【図３２Ａ】半球状の蓋の代わりの好適な実施の形態を示す図である。
【図３２Ｂ】半球状の蓋の代わりの好適な実施の形態の断面図である。
【図３３Ａ】断熱蓋の代わりの実施の形態を示す図である。
【図３３Ｂ】断熱蓋の側面図を示す図である。
【図３４Ａ】断熱蓋の代わりの実施の形態を示す図である。
【図３４Ｂ】断熱蓋の代わりの実施の形態の側面図である。
【図３５Ａ】断熱蓋の代わりの図である。
【図３５Ｂ】断熱蓋の代わりの側面図である。
【図３６Ａ】好適な断熱スリーブを示す図である。
【図３６Ｂ】好適な断熱スリーブを示す図である。
【図３７Ａ】好適な断熱スリーブを示す図である。
【図３７Ｂ】好適な断熱スリーブを示す図である。
【図３８Ａ】断熱スリーブの代わりの好適な実施の形態を示す図である。
【図３８Ｂ】断熱スリーブの代わりの好適な実施の形態を示す図である。
【図３９Ａ】断熱スリーブの代わりの好適な実施の形態を示す図である。
【図３９Ｂ】断熱スリーブの代わりの好適な実施の形態を示す図である。
【図４０Ａ】断熱スリーブの代わりの好適な実施の形態を示す図である。
【図４０Ｂ】断熱スリーブの代わりの好適な実施の形態を示す図である。
【図４１Ａ】断熱スリーブの代わりの好適な実施の形態を示す図である。
【図４１Ｂ】断熱スリーブの代わりの好適な実施の形態を示す図である。
【図４２Ａ】断熱スリーブの代わりの好適な実施の形態を示す図である。
【図４２Ｂ】断熱スリーブの代わりの好適な実施の形態を示す図である。
【図４３Ａ】断熱スリーブの代わりの好適な実施の形態を示す図である。
【図４３Ｂ】断熱スリーブの代わりの好適な実施の形態を示す図である。
【図４４Ａ】カップが取り付けられるリングを備えた断熱スリーブの代わりの好適な実施の形態を示す図である。
【図４４Ｂ】カップが取り付けられるリングを備えた断熱スリーブの代わりの好適な実施の形態を示す図である。
【図４５Ａ】断熱スリーブの代わりの好適な実施の形態を示す図である。
【図４５Ｂ】断熱スリーブの代わりの好適な実施の形態を示す図である。
【図４６Ａ】断熱スリーブの代わりの好適な実施の形態を示す図である。
【図４６Ｂ】カップが取り付けられるリングを備えた断熱スリーブの代わりの好適な実施の形態を示す図である。
【図４７Ａ】断熱スリーブの代わりの好適な実施の形態を示す図である。
【図４７Ｂ】断熱スリーブの代わりの好適な実施の形態を示す図である。
【図４８Ａ】断熱スリーブの代わりの好適な実施の形態を示す図である。
【図４８Ｂ】断熱スリーブの代わりの好適な実施の形態を示す図である。
【図４９Ａ】断熱スリーブの代わりの好適な実施の形態を示す図である。
【図４９Ｂ】断熱スリーブの代わりの好適な実施の形態を示す図である。
【図５０Ａ】断熱スリーブの代わりの好適な実施の形態を示す図である。
【図５０Ｂ】断熱スリーブの代わりの好適な実施の形態を示す図である。
【図５１Ａ】断熱スリーブの代わりの好適な実施の形態を示す図である。
【図５１Ｂ】断熱スリーブの代わりの好適な実施の形態を示す図である。
【図５２Ａ】断熱スリーブの代わりの好適な実施の形態を示す図である。
【図５２Ｂ】好適な飲み口を示す図である。
【図５３Ａ】好適な飲み口を示す図である。
【図５３Ｂ】好適な飲み口を示す図である。
【図５４Ａ】好適な飲み口を示す図である。
【図５４Ｂ】好適な飲み口を示す図である。
【図５５Ａ】好適な飲み口を示す図である。
【図５５Ｂ】好適な飲み口を示す図である。
【図５６Ａ】好適な飲み口を示す図である。
【図５６Ｂ】好適な飲み口を示す図である。
【図５７Ａ】好適な飲み口を示す図である。
【図５７Ｂ】好適な飲み口を示す図である。
【図５８】好適な飲み口を示す図である。
【図１Ａ】
2008512319.tif 000003
【図１Ｂ】
2008512319.tif 000004
【図２Ａ】
2008512319.tif 000005
【図２Ｂ】
2008512319.tif 000006
【図３Ａ】
2008512319.tif 000007
【図３Ｂ】
2008512319.tif 000008
【図４Ａ】
2008512319.tif 000009
【図４Ｂ】
2008512319.tif 000010
【図５Ａ】
2008512319.tif 000011
【図５Ｂ】
2008512319.tif 000012
【図６Ａ】
2008512319.tif 000013
【図６Ｂ】
2008512319.tif 000014
【図７Ａ】
2008512319.tif 000015
【図７Ｂ】
2008512319.tif 000016
【図８Ａ】
2008512319.tif 000017
【図８Ｂ】
2008512319.tif 000018
【図９Ａ】
2008512319.tif 000019
【図９Ｂ】
2008512319.tif 000020
【図１０Ａ】
2008512319.tif 000021
【図１０Ｂ】
2008512319.tif 000022
【図１１Ａ】
2008512319.tif 000023
【図１１Ｂ】
2008512319.tif 000024
【図１２Ａ】
2008512319.tif 000025
【図１２Ｂ】
2008512319.tif 000026
【図１３Ａ】
2008512319.tif 000027
【図１３Ｂ】
2008512319.tif 000028
【図１４Ａ】
2008512319.tif 000029
【図１４Ｂ】
2008512319.tif 000030
【図１５Ａ】
2008512319.tif 000031
【図１５Ｂ】
2008512319.tif 000032
【図１６Ａ】
2008512319.tif 000033
【図１６Ｂ】
2008512319.tif 000034
【図１７Ａ】
2008512319.tif 000035
【図１７Ｂ】
2008512319.tif 000036
【図１８Ａ】
2008512319.tif 000037
【図１８Ｂ】
2008512319.tif 000038
【図１９Ａ】
2008512319.tif 000039
【図１９Ｂ】
2008512319.tif 000040
【図２０Ａ】
2008512319.tif 000041
【図２０Ｂ】
2008512319.tif 000042
【図２１Ａ】
2008512319.tif 000043
【図２１Ｂ】
2008512319.tif 000044
【図２２Ａ】
2008512319.tif 000045
【図２２Ｂ】
2008512319.tif 000046
【図２３Ａ】
2008512319.tif 000047
【図２３Ｂ】
2008512319.tif 000048
【図２４Ａ】
2008512319.tif 000049
【図２４Ｂ】
2008512319.tif 000050
【図２５Ａ】
2008512319.tif 000051
【図２５Ｂ】
2008512319.tif 000052
【図２６Ａ】
2008512319.tif 000053
【図２６Ｂ】
2008512319.tif 000054
【図２７Ａ】
2008512319.tif 000055
【図２７Ｂ】
2008512319.tif 000056
【図２８Ａ】
2008512319.tif 000057
【図２８Ｂ】
2008512319.tif 000058
【図２９Ａ】
2008512319.tif 000059
【図２９Ｂ】
2008512319.tif 000060
【図３０Ａ】
2008512319.tif 000061
【図３０Ｂ】
2008512319.tif 000062
【図３１Ａ】
2008512319.tif 000063
【図３１Ｂ】
2008512319.tif 000064
【図３２Ａ】
2008512319.tif 000065
【図３２Ｂ】
2008512319.tif 000066
【図３３Ａ】
2008512319.tif 000067
【図３３Ｂ】
2008512319.tif 000068
【図３４Ａ】
2008512319.tif 000069
【図３４Ｂ】
2008512319.tif 000070
【図３５Ａ】
2008512319.tif 000071
【図３５Ｂ】
2008512319.tif 000072
【図３６Ａ】
2008512319.tif 000073
【図３６Ｂ】
2008512319.tif 000074
【図３７Ａ】
2008512319.tif 000075
【図３７Ｂ】
2008512319.tif 000076
【図３８Ａ】
2008512319.tif 000077
【図３８Ｂ】
2008512319.tif 000078
【図３９Ａ】
2008512319.tif 000079
【図３９Ｂ】
2008512319.tif 000080
【図４０Ａ】
2008512319.tif 000081
【図４０Ｂ】
2008512319.tif 000082
【図４１Ａ】
2008512319.tif 000083
【図４１Ｂ】
2008512319.tif 000084
【図４２Ａ】
2008512319.tif 000085
【図４２Ｂ】
2008512319.tif 000086
【図４３Ａ】
2008512319.tif 000087
【図４３Ｂ】
2008512319.tif 000088
【図４４Ａ】
2008512319.tif 000089
【図４４Ｂ】
2008512319.tif 000090
【図４５Ａ】
2008512319.tif 000091
【図４５Ｂ】
2008512319.tif 000092
【図４６Ａ】
2008512319.tif 000093
【図４６Ｂ】
2008512319.tif 000094
【図４７Ａ】
2008512319.tif 000095
【図４７Ｂ】
2008512319.tif 000096
【図４８Ａ】
2008512319.tif 000097
【図４８Ｂ】
2008512319.tif 000098
【図４９Ａ】
2008512319.tif 000099
【図４９Ｂ】
2008512319.tif 000100
【図５０Ａ】
2008512319.tif 000101
【図５０Ｂ】
2008512319.tif 000102
【図５１Ａ】
2008512319.tif 000103
【図５１Ｂ】
2008512319.tif 000104
【図５２Ａ】
2008512319.tif 000105
【図５２Ｂ】
2008512319.tif 000106
【図５３Ａ】
2008512319.tif 000107
【図５３Ｂ】
2008512319.tif 000108
【図５４Ａ】
2008512319.tif 000109
【図５４Ｂ】
2008512319.tif 000110
【図５５Ａ】
2008512319.tif 000111
【図５５Ｂ】
2008512319.tif 000112
【図５６Ａ】
2008512319.tif 000113
【図５６Ｂ】
2008512319.tif 000114
【図５７Ａ】
2008512319.tif 000115
【図５７Ｂ】
2008512319.tif 000116
【図５８】
2008512319.tif 000117
【国際調査報告】
2008512319.tif 000118